(57)【特許請求の範囲】
【請求項１】
上下方向に延伸する支持部材と、前記支持部材に支持され、左右方向に延伸するマスク取付部材と、前記マスク取付部材に取り付けられ、マスクを着脱可能に保持する１又は複数の保持部材とし、
前記マスク取付部材は、前記支持部材に回動可能に取り付けられ、前記支持部材と直交する使用状態と、前記支持部材と重なり合う待機状態とに変更可能であることを特徴とする、マスク支持具。
【請求項２】
請求項１に記載のマスク支持具であって、前記保持部材は、一定の長さを有する筋状であって、長手方向が前記マスク取付部材に直交し、マスクを挟持して保持することを特徴とする、マスク支持具。
【請求項３】
請求項１から２のいずれか一項に記載のマスク支持具であって、
前記保持部材は、前記マスク取付部材から着脱可能であり、中央部分が前方に膨らむ方向に弧状に湾曲することを特徴とする、マスク支持具。
【請求項４】
請求項１から３のいずれか一項に記載のマスク支持具であって、
前記支持部材には、上部が開口して前記マスクを挟持する１つの前記保持部材が固定され、
前記マスク取付部材は、上部が開口して前記マスクを挟持する２つの前記保持部材を着脱可能に有することを特徴とする、マスク支持具。
【請求項５】
請求項１から４のいずれか一項に記載のマスク支持具であって、
前記マスク取付部材は、中央部分が前方に膨らむよう弧状に湾曲することを特徴とする、マスク支持具。
【請求項６】
請求項１から５のいずれか一項に記載のマスク支持具であって、
前記支持部材は伸縮自在であることを特徴とする、マスク支持具。
【請求項７】
請求項１から６のいずれか一項に記載のマスク支持具であって、
前記支持部材は、上部が後方に湾曲することを特徴とする、マスク支持具。
【請求項８】
請求項１から７のいずれか一項に記載のマスク支持具であって、
前記マスク取付部材は、上方向に開口するＵ字部材を有し、前記Ｕ字部材の有する２つの櫛歯と、前記櫛歯の間に位置する前記支持部材とが前記マスクを支持することを特徴とする、マスク支持具。
【発明の詳細な説明】
【技術分野】
【０００１】
本発明は、マスク支持具に関する。
【背景技術】
【０００２】
例えば感染症の罹患を予防することを目的として、マスクを着用して生活することがある。
【０００３】
なお、特許文献１には、マスク交換可能な防塵シールドに関する技術が開示されている。同文献の段落［００１６］には、「マスク取付部材２は通気性のよい粗いメッシュの布で概ね矩形状に作られており、その周囲をバイヤステープ３で縁取りされている。」と記載され、また同段落には、「マスクの装填は、透明体１の下方側位置に図のＢに示すような汎用の使い捨てマスク５を載置し、前記マスク取付部材２を連結部で折返し該マスク５の紐を該透明体との間で挟持できるように対の留具4a，4bを留めて組合わされる。下端にできるバイアステープ３の折返しのループにマスクの下側の紐を通すことで、マスクの上側の紐は下顎近傍まで延在する透明体１の両側部1aを上から頬部に押さえつけることで、本発明の防塵シールドの装着安定性をよくできる。」と記載されている。
【先行技術文献】
【特許文献】
【０００４】
【特許文献１】特開２０１４−９１０１２号公報
【発明の概要】
【発明が解決しようとする課題】
【０００５】
飲食時や楽器の演奏時など、口を使用する場合においても、口から出る飛沫の飛散防止が望まれる。このような場合において、マスクを着用すると、口に物を入れる際にマスクをずらし、会話の際にマスクを戻す等の対応が必要となり、煩雑である。
【０００６】
特許文献１に記載された技術は、口を使用する際の飛沫の飛散予防を想定していない。
【０００７】
本発明は、上記の点に鑑みてなされたものであって、口の使用中に効率的に飛沫の飛散を防ぐことを目的とする。
【課題を解決するための手段】
【０００８】
そこで上記課題を解決するため、本発明の一態様に係るマスク支持具は、上下方向に延伸する支持部材と、前記支持部材に支持され、左右方向に延伸するマスク取付部材と、前記マスク取付部材に取り付けられ、マスクを着脱可能に保持する１又は複数の保持部材と、を有することを特徴とする。
【０００９】
前記保持部材は、一定の長さを有する筋状であって、長手方向が前記マスク取付部材に直交し、マスクを挟持して保持することを特徴としてもよい。
【００１０】
前記マスク取付部材は、前記支持部材に回動可能に取り付けられ、前記支持部材と直交する使用状態と、前記支持部材と重なり合う待機状態とに変更可能であることを特徴としてもよい。
【００１１】
前記保持部材は、前記マスク取付部材から着脱可能であり、中央部分が前方に膨らむ方向に弧状に湾曲することを特徴としてもよい。
【００１２】
前記支持部材には、上部が開口して前記マスクを挟持する１つの前記保持部材が固定され、前記マスク取付部材は、上部が開口して前記マスクを挟持する２つの前記保持部材を着脱可能に有することを特徴としてもよい。
【００１３】
前記マスク取付部材は、中央部分が前方に膨らむよう弧状に湾曲することを特徴としてもよい。
【００１４】
前記支持部材は伸縮自在であることを特徴としてもよい。
【００１５】
前記支持部材は、上部が後方に湾曲することを特徴としてもよい。
【００１６】
前記マスク取付部材は、上方向に開口するＵ字部材を有し、前記Ｕ字部材の有する２つの櫛歯と、前記櫛歯の間に位置する前記支持部材とが前記マスクを支持することを特徴としてもよい。
【発明の効果】
【００１７】
本発明によれば、口の使用中に効率的に飛沫の飛散を防ぐことができる。
【図面の簡単な説明】
【００１８】
【図１】第１の実施形態におけるマスク支持具の外観の一例を示す図である。
【図２】第１の実施形態におけるマスク支持具の使用状態を説明するための図である。
【図３】第１の実施形態におけるマスク支持具の使用状態及び待機状態を説明するための図である。図３（Ａ）は、待機状態から使用状態への変化の一例を示し、図３（Ｂ）は使用状態におけるマスク支持具の背面図の一例を示す。
【図４】第２の実施形態におけるマスク支持具の使用状態及び待機状態を説明するための図である。図４（Ａ）は、待機状態から使用状態への変化の一例を示し、図４（Ｂ）は使用状態におけるマスク支持具の背面図の一例を示す。
【発明を実施するための形態】
【００１９】
以下、図面に基づいて本発明の実施の形態を説明する。
【００２０】
＜第１の実施形態＞
【００２１】
図１は、第１の実施形態におけるマスク支持具１の外観の一例を示す図である。マスク支持具１は、支持部材１１と、マスク取付部材１２と、１又は複数の保持部材１３・１４とを有する。図１に示すマスク支持具１は、合計３つの保持部材１３・１４を有する。
【００２２】
支持部材１１は、上下方向に延伸する部材であって、下端近傍を把持して使用される。例えば支持部材１１は伸縮自在であって、待機状態では収縮し、使用状態では伸長する。図１に示すマスク支持具１は使用状態である。一例として、支持部材１１は複数の棒状の部材を入れ子状にスライド可能に組み合わせて構成され、待機状態では１つの部材に他の部材を格納することにより収縮し、使用状態では格納した当該他の部材を引き出すことにより伸長させる。
【００２３】
なお、例えば図１に示すように、支持部材１１の上部は後方（図１の−ｚ方向）に向かって漸次湾曲するよう構成することができる。本実施形態において、＋ｚ方向が前方であり、−ｚ方向が後方であるものとして説明する。使用状態において、使用者はマスク支持具１の後方と対面するよう支持部材１１を把持する。
【００２４】
マスク取付部材１２は、支持部材１１に支持され、左右方向に延伸する部材である。例えばマスク取付部材１２は、中央部分が前方に膨らむよう弧状に湾曲する。なお、マスク取付部材１２は、左右方向に伸縮自在であってもよい。
【００２５】
支持部材１１とマスク取付部材１２の材料は限定されない。例えば金属、木、樹脂等により構成される。支持部材１１の把持部分には、把持しやすいよう他の部分と異なる加工がされていてもよい。
【００２６】
保持部材１３は、マスク取付部材１２に取り付けられ、保持部材１４は支持部材１１に取り付けられる。保持部材１３・１４は、マスクを着脱可能に保持する。保持部材１３・１４は、例えば一定の長さを有する筋状の部材であって、長手方向がマスク取付部材１２に直交し、マスクを挟持して保持する。なお、保持部材１３・１４は、筋状に限定されない。例えば、針をマスクに貫通させて留め具で固定するピンズや、金属等の剛性を有する部材を屈曲させて形成されたクリップ等であってもよい。保持部材１３・１４の材料は限定されない。
【００２７】
図１に示す保持部材１３・１４は、２枚の板状の挟持片が一端側で回転軸を介して接続されており、一端側を操作することにより他端側を開閉できるよう構成されている。回転軸の近傍には、コイルバネや板バネなどの付勢部材が設けられ、閉じる方向に付勢されている。
【００２８】
保持部材１３は、例えばマスク取付部材１２から着脱可能である。保持部材１３・１４が筋状である場合、保持部材１３・１４は、例えば中央部分が前方に膨らむよう弧状に湾曲する。なお、本実施形態において、保持部材１３・１４が湾曲する場合、必ずしも中央部分が端部よりも前方に突出することを意味しない。保持部材１３・１４が湾曲する場合、保持部材１３・１４の上端又は下端が他の部分に比べて後方に位置するものであればよい。
【００２９】
図１に示すマスク支持具１は、支持部材１１の上部に１つの保持部材１４が固定され、マスク取付部材１２の左右対称の位置に２つの保持部材１３が設けられている。マスク取付部材１２の有する保持部材１３は、マスク取付部材１２から着脱可能である。各々の保持部材１３・１４は、上部が開口してマスクを着脱可能に挟持する。
【００３０】
なお、図１に示すマスク支持具１は、マスク取付部材１２の上部にマスクを保持する態様であるが、本実施形態におけるマスク支持具１は、マスク取付部材１２の下部にマスクを保持するよう構成されていてもよい。即ち、マスク取付部材１２は、保持部材１３・１４を用いてマスクをぶら下げるように保持する。マスク取付部材１２は、例えば使用者の鼻に相当する中央部分が前方にせり出すなど、顔の形状に沿うように屈曲していてもよい。
【００３１】
図２は、第１の実施形態におけるマスク支持具１の使用状態を説明するための図である。マスク支持具１は、マスクｍを着脱自在に保持する。使用者は、図１に示すマスク支持具１の支持部材１１に固定された保持部材１４にマスクｍを挟み込んで固定させ、その後マスクｍの大きさと形状に合わせて、マスク取付部材１２に２つの保持部材１３を取り付ける。２つの保持部材１３をマスク取付部材１２に取り付ける際、各々の保持部材１３にマスクｍを挟持させる。
【００３２】
なお、保持部材１３はマスクｍの中央近傍を、マスク取付部材１２に取り付けた保持部材１３はマスクｍの両端近傍を、各々保持するよう装着することが望ましい。その後、使用者はマスクｍの後方と対面するよう支持部材１１の下端近傍を把持し、マスクｍが口の前に位置するようにする。
【００３３】
例えば使用者は、他人と食事を共にする際に、マスク支持具１にマスクｍを装着し、使用状態に準備しておく。会話の際にマスクｍが口元前方に位置するようマスク支持具１を把持する。これにより、食事中の会話時に飛沫の飛散を防ぐことができる。片手でマスク支持具１を持ち支え、もう一方の手で料理を口に運んでもよい。例えば感染症の流行の際に、マスク支持具１を使用することにより、食事相手に感染させる危険性への懸念や、食事相手から感染する危険性への懸念等、感染に関する心理的な負担を軽減し、他人との食事を楽しむことができる。
【００３４】
図３は、第１の実施形態におけるマスク支持具１の使用状態及び待機状態を説明するための図である。図３（Ａ）は、待機状態から使用状態への変化の一例を示し、図３（Ｂ）は使用状態におけるマスク支持具１の背面図の一例を示す。
【００３５】
図３に示す例において、マスク取付部材１２は、支持部材１１に回動可能に取り付けられる。マスク取付部材１２を回転させることにより、マスク取付部材１２が支持部材１１と直交する使用状態と、支持部材１１と重なり合う待機状態とに変更可能である。また、本例における支持部材１１は、上下方向に伸縮可能である。即ち、本例におけるマスク支持具１は、待機状態では支持部材１１が収縮し、マスク取付部材１２が支持部材１１と重なり合っている。待機状態におけるマスク支持具１の支持部材１１とマスク取付部材１２とは一本の直線状である。
【００３６】
なお、先述したように、マスク取付部材１２は伸縮自在であってもよい。その場合、マスク取付部材１２は、待機状態では収縮させ、使用状態では伸長させる。また、支持部材１１の上部には、保持部材１４が固定されており、保持部材１３はマスク取付部材１２に取り付けられていない。なお、保持部材１４は、マスク支持具１から取り外されていてもよい。付言すれば、マスク支持具１は保持部材１４を有していなくてもよい。
【００３７】
待機状態から使用状態に変更するにあたり、使用者は支持部材１１を伸長させる。また、使用者は支持部材１１と重なり合っていたマスク取付部材１２を回転させ、支持部材１１と略直交させる。マスク取付部材１２が伸縮自在である場合、使用者はマスク取付部材１２を伸長させる。その後、使用者はマスクｍを保持部材１４に保持させる。即ち、保持部材１４はマスクｍを挟持する。
【００３８】
次に、使用者はマスク取付部材１２に保持部材１３を装着し、マスクｍの両脇を挟持させる。その結果、図３（Ｂ）に示すように、マスク支持具１にマスクｍが張るよう取り付けられる。
【００３９】
本例において、マスク取付部材１２、支持部材１１の上部、及び保持部材１３・１４を前方に膨らむよう湾曲させることで、口から出た飛沫がマスクｍの外側に飛散することをより効果的に防ぐことができる。その場合、マスク取付部材１２は、奥行方向（ｚ−ｚ方向）において、支持部材１１と保持部材１４との間に位置するよう構成することができる。
【００４０】
なお、本実施形態における待機状態の構成は、図３に示す構成に限定されない。例えば、使用状態において左右方向に延伸するマスク取付部材１２が、中央部分を支点として上方向又は下方向に折れ曲がることにより、支持部材１１と重なり合い、待機状態となる構成であってもよい。その場合、使用状態においてマスク取付部材１２が左右方向に延伸した状態で係止するための筋交い（図示しない）が、マスク取付部材１２の両端から支持部材１１に架け渡されていてもよい。
【００４１】
マスク支持具１が待機状態を有することにより、保管の際にマスク支持具１をコンパクトに収納することができる。例えば使用者は、マスク支持具１を待機状態にして持ち歩き、他者との食事の際に使用状態に変更して使用することができる。
【００４２】
また、マスク支持具１は、待機状態を有するものでなくてもよい。例えば店舗等において、使用状態におけるマスク支持具１を使用者に貸与し、使用者が自分のマスクｍをマスク支持具１に装着することができる。その場合において、保持部材１３はマスク取付部材１２に固定されていてもよい。
【００４３】
また、マスク取付部材１２、支持部材１１の上部、又は保持部材１３・１４の少なくともいずれか１つは、湾曲していなくてもよい。部材の加工工程を省略することができ、コスト削減に資する。また、より少ないスペースで保管することができ、保管時の利便性が向上する。
【００４４】
以上、本実施形態のマスク支持具１により、食事など口を使用する場合に、より効率的に飛沫の飛散を防ぐことができる。
【００４５】
＜第２の実施形態＞
【００４６】
次に、第２の実施形態におけるマスク支持具２について説明する。本実施形態におけるマスク支持具２は、Ｕ字部材２１を有する。以下、第１の実施形態と異なる点について説明する。
【００４７】
図４は、第２の実施形態におけるマスク支持具２の使用状態及び待機状態を説明するための図である。図４（Ａ）は、待機状態から使用状態への変化の一例を示し、図４（Ｂ）は使用状態におけるマスク支持具２の背面図の一例を示す。
【００４８】
マスク支持具２は、上方向に開口するＵ字部材２１を有する。Ｕ字部材２１は、略中央部分が支持部材１１の後面に固定される。また、Ｕ字部材２１は、上方向に延伸する２つの櫛歯を有する。櫛歯の先端は、マスクｍの装着が容易となるよう、丸みを帯びて形成されることが望ましい。
【００４９】
２つの櫛歯と、櫛歯の間に位置する支持部材１１の上部とが、使用状態においてマスクｍを支持する。例えば、使用者は、隣り合う櫛歯及び支持部材１１上部の間をマスクｍが通過するよう、上からマスクｍを差し込む。図４（Ｂ）に示す例では、支持部材１１上部の後面、及び２つの櫛歯の前面にマスクｍが位置するよう、マスクｍが装着されている。その後、使用者はマスク取付部材１２の略左右対称の位置に保持部材１３を装着し、マスクｍを挟持する。
【００５０】
なお、Ｕ字部材２１の有する櫛歯は２つに限定されない。使用者は、任意の櫛歯及び支持部材１１上部の間をマスクｍが通過するよう、マスク支持具２にマスクｍを装着することができる。付言すれば、図４（Ｂ）に示すマスク支持具２は、使用者の口と対向する中央部分後方にマスクｍが位置するよう構成される。即ち、中央部分後方に、支持部材１１上部又は櫛歯が位置しないよう構成される。当該部分に着脱自在なマスクｍが位置するよう構成することで、マスク支持具２を介した感染を防ぐことができる。
【００５１】
なお、櫛歯は、各々支持部材１１の上部と同様に、上部が後方に湾曲していてもよい。また、本実施形態においても、マスク取付部材１２は支持部材１１に回動可能に取り付けられていてもよい。付言すれば、図４に示すＵ字部材２１は、保持部材１３を有していない。しかしながら、Ｕ字部材２１は保持部材１３を有していてもよい。また、Ｕ字部材２１は、支持部材１１の前面に取り付けられていてもよい。なお、Ｕ字部材２１は、支持部材１１でなくマスク取付部材１２に固定されていてもよい。
【００５２】
第１の実施形態と同様に、マスク取付部材１２は伸縮自在であってもよく、中央部分が前方に膨らむよう弧状に湾曲していてもよい。
【００５３】
以上、複数の櫛歯を用いてマスクｍを支持することで、より使用者の顔の表面に沿うようマスクｍを湾曲させて支持することができる。また、使用者の口に対向する部分にマスクｍが位置するよう構成することで、感染症対策としてマスク支持具２を用いる場合に、より確実に感染を防ぐことができる。
【００５４】
以上、本発明に係る各実施形態の説明を行ってきたが、本発明は、上記した実施形態の一例に限定されるものではなく、様々な変形例が含まれる。例えば、上記した実施形態の一例は、本発明を分かり易くするために詳細に説明したものであり、本発明は、ここで説明した全ての構成を備えるものに限定されない。また、ある実施形態の一例の構成の一部を他の一例の構成に置き換えることが可能である。また、ある実施形態の一例の構成に他の一例の構成を加えることも可能である。また、各実施形態の一例の構成の一部について、他の構成の追加・削除・置換をすることもできる。
【符号の説明】
【００５５】
１・２：マスク支持具、１１：支持部材、１２：マスク取付部材、１３・１４：保持部材、２１：Ｕ字部材、ｍ：マスク、
【要約】      （修正有）【課題】マスクを着用すると、口に物を入れる際にマスクをずらし、会話の際にマスクを戻す等の対応が必要となり煩雑であるため、口の使用中に効率的に飛沫の飛散を防ぐマスク支持具を提供する。【解決手段】マスク支持具１であって、上下方向に延伸する支持部材１１と、前記支持部材に支持され、左右方向に延伸するマスク取付部材１２と、前記マスク取付部材に取り付けられ、マスクを着脱可能に保持する１又は複数の保持部材１３，１４と、を有することを特徴とする。【選択図】図１【図１】
0006896954.tif 000002
【図２】
0006896954.tif 000003
【図３】
0006896954.tif 000004
【図４】
0006896954.tif 000005